(57)【要約】【課題】コネクタの誤接続を防止しつつ、通信規格の多様化にも柔軟に対応できるコネクタ選択指示装置を提供すること。【解決手段】コネクタ２２と着脱可能に電気的に接続可能なポート１１と、前記ポートからの前記コネクタにおける所定の端子２３の信号に係る情報を測定する信号測定部１２と、信号に係る情報と他の電子機器３０の他のポート３１に係る情報とを対応づけて記憶する記憶部１３と、前記信号測定部で測定された信号に係る情報が、前記記憶部で記憶された信号に係る情報の中に存在するか否かを確認し、存在する場合には確認された前記信号に係る情報に対応する前記他の電子機器の前記他のポートに係る情報を前記記憶部から抽出する情報処理部１４と、前記情報処理部で抽出した前記他の電子機器の前記他のポートに係る情報を出力する出力部１５と、を備える。【選択図】図１
2015153205.tif 000002
【特許請求の範囲】
【請求項１】
電子機器に電気的に接続されたケーブルのコネクタと着脱可能に電気的に接続可能なポートと、
前記ポートからの前記コネクタにおける所定の端子の信号に係る情報を測定する信号測定部と、
信号に係る情報と他の電子機器の他のポートに係る情報とを対応づけて記憶する記憶部と、
前記信号測定部で測定された信号に係る情報が、前記記憶部で記憶された信号に係る情報の中に存在するか否かを確認し、存在する場合には確認された前記信号に係る情報に対応する前記他の電子機器の前記他のポートに係る情報を前記記憶部から抽出する情報処理部と、
前記情報処理部で抽出した前記他の電子機器の前記他のポートに係る情報を出力する出力部と、
を備えることを特徴とするコネクタ選択指示装置。
【請求項２】
前記信号に係る情報は、前記所定の端子の信号パターン又は信号電圧時間変化であることを特徴とする請求項１記載のコネクタ選択指示装置。
【請求項３】
前記所定の端子の信号は、アナログ信号であり、
前記コネクタ選択指示装置は、前記ポートからの前記所定の端子のアナログ信号をデジタル信号に変換する変換部をさらに備え、
前記信号測定部は、前記変換部で変換されたデジタル信号に係る情報を測定することを特徴とする請求項１又は２記載のコネクタ選択指示装置。
【請求項４】
前記コネクタ選択指示装置は、前記信号測定部、前記記憶部、前記情報処理部及び前記出力部を有する本体と、前記本体の外部に配されるとともに前記変換部及び前記ポート部を有する変換ユニットと、を備え、
前記変換部は、前記信号測定部に対して着脱可能に電気的に接続可能であることを特徴とする請求項３記載のコネクタ選択指示装置。
【請求項５】
前記コネクタ選択指示装置は、前記他の電子機器の前記他のポートに係る情報を入力する入力部をさらに備え、
前記情報処理部は、前準備として、前記入力部から入力された前記他の電子機器の前記他のポートに係る情報と、前記信号測定部で測定された信号に係る情報と、を対応づけて前記記憶部に記憶させることを特徴とする請求項１乃至４のいずれか一に記載のコネクタ選択指示装置。
【請求項６】
前記入力部は、前記他の電子機器の前記他のポートに係る情報を入力する操作部、又は、前記他の電子機器の前記他のポートに係る情報を撮像するカメラ部であることを特徴とする請求項５記載のコネクタ選択指示装置。
【請求項７】
前記出力部は、前記情報処理部で抽出した前記他の電子機器の前記他のポートに係る情報を表示出力する表示部、又は、前記情報処理部で抽出した前記他の電子機器の前記他のポートに係る情報を音声出力するスピーカ部であることを特徴とする請求項１乃至６のいずれか一に記載のコネクタ選択指示装置。
【請求項８】
前記出力部は、前記情報処理部で抽出した前記他の電子機器の前記他のポートに係る情報を所定の情報通信端末に送信する通信部であることを特徴とする請求項１乃至６のいずれか一に記載のコネクタ選択指示装置。
【請求項９】
電子機器に電気的に接続されたケーブルのコネクタにおける所定の端子の信号に係る情報を信号測定部で測定する工程と、
前記信号測定部で測定された信号に係る情報が、記憶部で記憶された信号に係る情報の中に存在するか否かを情報処理部で確認する工程と、
前記確認する工程で存在する場合には前記情報処理部で確認された前記信号に係る情報に対応する前記他の電子機器の前記他のポートに係る情報を前記記憶部から抽出する工程と、
前記情報処理部で抽出した前記他の電子機器の前記他のポートに係る情報を出力部から出力する工程と、
を含むことを特徴とするコネクタ選択指示方法。
【請求項１０】
電子機器に電気的に接続されたケーブルのコネクタにおける所定の端子の信号に係る情報を信号測定部で測定するステップと、
前記信号測定部で測定された信号に係る情報が、記憶部で記憶された信号に係る情報の中に存在するか否かを情報処理部で確認するステップと、
前記確認する工程で存在する場合には前記情報処理部で確認された前記信号に係る情報に対応する前記他の電子機器の前記他のポートに係る情報を前記記憶部から抽出するステップと、
前記情報処理部で抽出した前記他の電子機器の前記他のポートに係る情報を出力部から出力するステップと、
を実行させることを特徴とするコネクタ選択指示プログラム。
【発明の詳細な説明】
【技術分野】
【０００１】
本発明は、コネクタ選択指示装置、方法及びプログラムに関する。
【背景技術】
【０００２】
ネットワーク機器（例えば、スイッチングハブ）のメンテナンスを行うとき、ネットワーク機器の複数のポートに複数のケーブル（例えば、ＬＡＮ（Local Area Network）ケーブル）のコネクタ（プラグ）を抜き差しする場合がある。このようなコネクタの抜き差しを行う際、複数のポートが同じ形状となっているため、コネクタを接続するべきポートが分からなくなり、コネクタを誤ったポートに接続（誤接続）してしまう可能性がある。このような誤接続を防止するために、従来は、コネクタを外す前に、そのコネクタに対応するネットワーク機器側のポートに関し、対応するコネクタにポート番号と同じ番号が付されたタグ、テープ、シール等の識別要素を付けたり、ポート番号とコネクタ番号のメモを取ったり、使用しないポートにマスキングテープを貼ったりする等、再接続時に、間違いなく、元に戻すようにしていた。しかしながら、メモの見間違えや、識別要素やマスキングテープが外れてどのコネクタとポートが対応するのか分からなくなる等によって、コネクタを誤接続したり、確認作業に時間がかかるおそれがあった。
【０００３】
そこで、コネクタ（プラグ）の誤接続（誤挿入）を防止するべく、特許文献１には、電子機器の動作モードを判別し、動作モードの判別結果に応じた通信回線のプラグの種類を判別する電子機器が開示されている。
【先行技術文献】
【特許文献】
【０００４】
【特許文献１】特開２００７−２１３５５７号公報
【発明の概要】
【発明が解決しようとする課題】
【０００５】
以下の分析は、本願発明者により与えられる。
【０００６】
しかしながら、特許文献１に記載の電子機器のように、自身が通信回線のプラグの種類を判別する構成では、判別する機能を付加した分、電子機器が高価になり、通信規格の多様化に対応できなくなる可能性がある。
【０００７】
本発明の主な課題は、コネクタの誤接続を防止しつつ、通信規格の多様化にも柔軟に対応できるコネクタ選択指示装置、方法及びプログラムを提供することである。
【課題を解決するための手段】
【０００８】
本発明の第１の視点においては、コネクタ選択指示装置において、電子機器に電気的に接続されたケーブルのコネクタと着脱可能に電気的に接続可能なポートと、前記ポートからの前記コネクタにおける所定の端子の信号に係る情報を測定する信号測定部と、信号に係る情報と他の電子機器の他のポートに係る情報とを対応づけて記憶する記憶部と、前記信号測定部で測定された信号に係る情報が、前記記憶部で記憶された信号に係る情報の中に存在するか否かを確認し、存在する場合には確認された前記信号に係る情報に対応する前記他の電子機器の前記他のポートに係る情報を前記記憶部から抽出する情報処理部と、前記情報処理部で抽出した前記他の電子機器の前記他のポートに係る情報を出力する出力部と、を備えることを特徴とする。
【０００９】
本発明の第２の視点においては、コネクタ選択指示方法において、電子機器に電気的に接続されたケーブルのコネクタにおける所定の端子の信号に係る情報を信号測定部で測定する工程と、前記信号測定部で測定された信号に係る情報が、記憶部で記憶された信号に係る情報の中に存在するか否かを情報処理部で確認する工程と、前記確認する工程で存在する場合には前記情報処理部で確認された前記信号に係る情報に対応する前記他の電子機器の前記他のポートに係る情報を前記記憶部から抽出する工程と、前記情報処理部で抽出した前記他の電子機器の前記他のポートに係る情報を出力部から出力する工程と、を含むことを特徴とする。
【００１０】
本発明の第３の視点においては、コネクタ選択指示プログラムにおいて、電子機器に電気的に接続されたケーブルのコネクタにおける所定の端子の信号に係る情報を信号測定部で測定するステップと、前記信号測定部で測定された信号に係る情報が、記憶部で記憶された信号に係る情報の中に存在するか否かを情報処理部で確認するステップと、前記確認する工程で存在する場合には前記情報処理部で確認された前記信号に係る情報に対応する前記他の電子機器の前記他のポートに係る情報を前記記憶部から抽出するステップと、前記情報処理部で抽出した前記他の電子機器の前記他のポートに係る情報を出力部から出力するステップと、を実行させることを特徴とする。
【発明の効果】
【００１１】
本発明によれば、コネクタの誤接続を防止しつつ、通信規格の多様化にも柔軟に対応できる。
【図面の簡単な説明】
【００１２】
【図１】本発明の実施形態１に係るコネクタ選択指示装置の構成を模式的に示したブロック図である。
【図２】本発明の実施形態１に係るコネクタ選択指示装置のコネクタ選択指示動作を模式的に示したフローチャートである。
【図３】本発明の実施形態２に係るコネクタ選択指示装置の構成を模式的に示したブロック図である。
【図４】本発明の実施形態３に係るコネクタ選択指示装置の構成を模式的に示したブロック図である。
【図５】本発明の実施形態４に係るコネクタ選択指示装置の構成を模式的に示したブロック図である。
【図６】本発明の実施形態５に係るコネクタ選択指示装置の構成を模式的に示したブロック図である。
【図７】本発明の実施形態６に係るコネクタ選択指示装置の構成を模式的に示したブロック図である。
【図８】本発明の実施形態６に係るコネクタ選択指示装置のデータ登録動作を模式的に示したフローチャートである。
【図９】本発明の実施形態７に係るコネクタ選択指示装置の変形例の構成を模式的に示したブロック図である。
【発明を実施するための形態】
【００１３】
［実施形態１］
本発明の実施形態１に係るコネクタ選択指示装置について図面を用いて説明する。図１は、本発明の実施形態１に係るコネクタ選択指示装置の構成を模式的に示したブロック図である。
【００１４】
コネクタ選択指示装置１０は、電子機器２０に電気的に接続されたケーブル２１のコネクタ２２の接続先となる他の電子機器３０の他のポート３１（例えば、＃１〜＃４のいずれか１つ）を選択してユーザに指示する電子装置である。コネクタ選択指示装置１０は、ポート１１と、信号測定部１２と、記憶部１３と、情報処理部１４と、出力部１５と、を備える。
【００１５】
ポート１１は、電子機器２０に電気的に接続されたケーブル２１のコネクタ２２と着脱可能に電気的に接続可能な接続部である。
【００１６】
信号測定部１２は、ポート１１からのコネクタ２２における所定の端子２３（複数ある端子２３のいずれか又は全部）の信号に係る情報を測定する機能部である。
【００１７】
記憶部１３は、信号に係る情報と他の電子機器３０の他のポート３１に係る情報とを対応づけて記憶する機能部である。
【００１８】
情報処理部１４は、所定の情報処理を行う機能部である。情報処理部１４は、信号測定部１２で測定された信号に係る情報が、記憶部１３で記憶された信号に係る情報の中に存在するか否かを確認する。情報処理部１４は、測定された信号に係る情報が記憶された信号に係る情報の中に存在する場合には確認された信号に係る情報に対応する他の電子機器３０の他のポート３１（例えば、＃１〜＃４のいずれか１つ）に係る情報を記憶部１３から抽出する。
【００１９】
出力部１５は、情報処理部１４で抽出した他の電子機器３０の他のポート３１に係る情報を、ユーザがわかるように出力（指示）する機能部である。
【００２０】
なお、電子機器２０は、ケーブル２１の一端に電気的に接続されている。ケーブル２１の他端には、コネクタ２２を有する。コネクタ２２は、ケーブル２１を介して電子機器２０に電気的に接続される複数の端子２３を有する。コネクタ２２は、電子機器２０のポート１１、及び、他の電子機器３０の他のポート３１のどちらにも着脱可能に電気的に接続可能である。電子機器２０は、コネクタ選択指示装置１０又は他の電子機器３０に対してケーブル２１、コネクタ２２、及び、ポート１１又は他のポート３１を介して信号を送受信することが可能である。
【００２１】
他の電子機器３０は、複数の他のポート３１（図１では＃１〜＃４）を有する。他の電子機器３０は、電子機器２０に対して他のポート３１、コネクタ２２及びケーブル２１を介して信号を送受信することが可能である。
【００２２】
次に、本発明の実施形態１に係るコネクタ選択指示装置のコネクタ選択指示動作について図面を用いて説明する。図２は、本発明の実施形態１に係るコネクタ選択指示装置のコネクタ選択指示動作を模式的に示したフローチャートである。なお、コネクタ選択指示装置１０の各構成部については、図１を参照されたい。
【００２３】
前提として、電子機器２０に電気的に接続されたケーブル２１のコネクタ２２が他の電子機器３０の所定の他のポート３１（例えば、＃１）から取り外された状態にある。また、記憶部１３には、電子機器２０に電気的に接続されたケーブル２１のコネクタ２２の所定の端子２３（複数ある端子２３のいずれか又は全部）の信号に係る情報と、他の電子機器３０の他のポート３１（例えば、＃１〜＃４のいずれか１つ）に係る情報と、が対応づけて登録されているものとする。さらに、コネクタ選択指示装置１０でコネクタ選択指示動作するにあたって、電子機器２０を駆動してコネクタ２２が接続されていなくても動作可能な所定の動作をさせたり、電子機器２０から所定の信号を出力するように動作させる等、端子２３の信号が変化するように電子機器２０を動作させるものとする。
【００２４】
まず、コネクタ選択指示装置１０は、電子機器２０に電気的に接続されたケーブル２１のコネクタ２２をコネクタ選択指示装置１０のポート１１に接続されたことを信号測定部１２を通じて情報処理部１４が検出すると、コネクタ２２における所定の端子２３（複数ある端子２３のいずれか又は全部）の信号に係る情報を、信号測定部１２で測定する（ステップＡ１参照）。
【００２５】
次に、コネクタ選択指示装置１０は、信号測定部１２で測定された信号に係る情報が、記憶部１３で記憶された信号に係る情報の中に存在するか否かを情報処理部１４で確認する（ステップＡ２参照）。測定された信号に係る情報が記憶された信号に係る情報の中に存在しない場合（ステップＡ２のＮＯ）、ステップＡ５に進む。
【００２６】
測定された信号に係る情報が記憶された信号に係る情報の中に存在する場合（ステップＡ２のＹＥＳ）、コネクタ選択指示装置１０は、情報処理部１４で確認された信号に係る情報に対応する他の電子機器３０の他のポート３１（例えば、＃１）に係る情報を記憶部１３から抽出する（ステップＡ３参照）。
【００２７】
次に、コネクタ選択指示装置１０は、情報処理部１４で抽出した他の電子機器３０の他のポート３１（例えば、＃１）に係る情報を、ユーザが分かるように出力部１５から出力し（ステップＡ４参照）、終了する。これにより、ユーザは、コネクタ２２をポート１１から取り外し、コネクタ選択指示装置１０の出力部１５から出力されたポート３１（例えば、＃１）に係る情報に基づいて、コネクタ２２を他の電子機器３０の他のポート３１に接続することになる。
【００２８】
測定された信号に係る情報が記憶された信号に係る情報の中に存在しない場合（ステップＡ２のＮＯ）、コネクタ選択指示装置１０は、対応する他の電子機器３０の他のポート３１が存在しない旨の情報を、ユーザが分かるように出力部１５から出力し（ステップＡ５参照）、終了する。
【００２９】
なお、以上のようなコネクタ選択指示動作は、接続すべきコネクタの数だけ繰り返すことになる。
【００３０】
実施形態１によれば、コネクタ選択指示装置１０を用い、信号測定部１２で測定されたコネクタ２２の所定の端子２３の信号に係る情報と、記憶部１３で記憶された信号に係る情報と、を比較することで、信号に係る情報に対応する他の電子機器３０の他のポート３１がわかり、コネクタ２２の誤接続を防止し、作業時間の短縮を図ることもできる。また、記憶部１３において信号に係る情報と他の電子機器３０の他のポート３１に係る情報とを対応づけて記憶しておくことで、通信規格の多様化にも柔軟に対応できる。
【００３１】
［実施形態２］
本発明の実施形態２に係るコネクタ選択指示装置について図面を用いて説明する。図３は、本発明の実施形態２に係るコネクタ選択指示装置の構成を模式的に示したブロック図である。
【００３２】
実施形態２は、実施形態１の変形例であり、出力部（図１の１５）として表示部１５ａ及びスピーカ部１５ｂを用いたものである。
【００３３】
コネクタ選択指示装置１０は、電子機器２０に電気的に接続されたケーブル２１のコネクタ２２の接続先となる他の電子機器３０の他のポート３１（例えば、＃１〜＃４のいずれか１つ）を選択してユーザに指示する電子装置である。コネクタ選択指示装置１０は、ポート１１と、信号測定部１２と、記憶部１３と、情報処理部１４と、表示部１５ａと、スピーカ部１５ｂと、を備える。
【００３４】
ポート１１は、電子機器２０に電気的に接続されたケーブル２１のコネクタ２２と着脱可能に電気的に接続可能な接続部である。ポート１１は、単数だけでなく、複数種類、用意されていてもよい。
【００３５】
信号測定部１２は、ポート１１からのコネクタ２２における所定の端子２３（複数ある端子２３のいずれか又は全部）の信号に係る情報を測定（検出でも可）する機能部である。ここで、信号に係る情報は、所定の端子２３の信号パターン又は信号電圧時間変化である。なお、信号パターンは、デジタル信号のパターンである。また、信号電圧時間変化は、信号電圧の時間変化がなくてもよく、信号電圧が一定であってもよい。
【００３６】
記憶部１３は、所定の情報（データ、プログラム等）を記憶する機能部である。記憶部１３は、信号に係る情報と、他の電子機器３０の他のポート３１に係る情報と、を対応づけて記憶する。信号に係る情報と、他のポート３１に係る情報と、を対応づける情報は、データベースであってもよい。データベースは、１つの信号に係る情報と、他の電子機器３０の他のポート３１に係る情報と、を対応づけた情報だけでなく、１つの端子だけでは対応する他のポート３１が特定できない場合は、２つ以上の端子の信号に係る情報と、他の電子機器３０の他のポート３１に係る情報と、を対応づけた情報であってもよい。ここで、他のポート３１に係る情報は、他のポート３１に付された番号（例えば、図３の＃１〜＃４）のほか、他のポート３１を識別する情報、他のポート３１の位置、他の電子機器３０の図又は写真上のどの位置であるかを示す情報とすることができる。
【００３７】
情報処理部１４は、プログラムに基づいて所定の情報処理を行う機能部である。情報処理部１４は、信号測定部１２で測定された信号に係る情報が、記憶部１３で記憶された信号に係る情報の中に存在するか否かを確認する。情報処理部１４は、測定された信号に係る情報が記憶された信号に係る情報の中に存在する場合、確認された信号に係る情報に対応する他の電子機器３０の他のポート３１（図３では＃１〜＃４のいずれか１つ）に係る情報を記憶部１３から抽出し、抽出された他のポート３１に係る情報を、ユーザが分かるように表示部１５ａ及びスピーカ部１５ｂの両方又は一方から出力させる。情報処理部１４は、測定された信号に係る情報が記憶された信号に係る情報の中に存在しない場合には、対応する他の電子機器３０の他のポート３１が存在しない旨の情報を、ユーザが分かるように表示部１５ａ及びスピーカ部１５ｂの両方又は一方から出力（表示出力、音声出力）させる。
【００３８】
表示部１５ａは、情報処理部１４の制御により所定の情報を表示出力する機能部である。表示部１５ａは、情報処理部１４で抽出した他の電子機器３０の他のポート３１に係る情報を表示出力（指示）する。表示部１５ａは、情報処理部１４の制御により対応する他の電子機器３０の他のポート３１が存在しない旨の情報を表示出力する。
【００３９】
スピーカ部１５ｂは、情報処理部１４の制御により所定の情報を音声出力する機能部である。スピーカ部１５ｂは、情報処理部１４で抽出した他の電子機器３０の他のポート３１に係る情報を音声出力（指示）する。スピーカ部１５ｂは、情報処理部１４の制御により対応する他の電子機器３０の他のポート３１が存在しない旨の情報を音声出力する。
【００４０】
なお、電子機器２０は、新たに設置又は交換しないで継続して使用する電子機器（電子装置）である。電子機器２０は、ケーブル２１の一端に電気的に接続されている。ケーブル２１の他端には、コネクタ２２を有する。コネクタ２２は、ケーブル２１を介して電子機器２０に電気的に接続される複数の端子２３を有する。端子２３は、ポート１１の端子（図示せず）に差し込めるピン状の端子であってもよい。コネクタ２２は、電子機器２０のポート１１、及び、他の電子機器３０の他のポート３１のどちらにも着脱可能に電気的に接続可能である。電子機器２０は、コネクタ選択指示装置１０又は他の電子機器３０に対してケーブル２１、コネクタ２２、及び、ポート１１又は他のポート３１を介して信号を送受信することが可能である。ケーブル２１は、電子機器２０に対して着脱可能に電気的に接続されるものを用いることができる。
【００４１】
他の電子機器３０は、新たに設置又は交換する電子機器（電子装置）である。他の電子機器３０は、複数の他のポート３１（図１では＃１〜＃４）を有する。他の電子機器３０は、電子機器２０に対して他のポート３１、コネクタ２２及びケーブル２１を介して信号を送受信することが可能である。
【００４２】
なお、実施形態２に係るコネクタ選択指示装置１０のコネクタ選択指示動作については、実施形態１（図２参照）と同様である。
【００４３】
実施形態２によれば、実施形態１と同様に、コネクタ選択指示装置１０を用い、信号測定部１２で測定されたコネクタ２２の所定の端子２３の信号に係る情報と、記憶部１３で記憶された信号に係る情報と、を比較することで、信号に係る情報に対応する他の電子機器３０の他のポート３１がわかり、コネクタ２２の誤接続を防止し、作業時間の短縮を図ることもできる。また、記憶部１３において信号に係る情報と他の電子機器３０の他のポート３１に係る情報とを対応づけて記憶しておくことで、通信規格の多様化にも柔軟に対応できる。さらに、個別の他の電子機器３０においてコネクタを判別する機能を有さなくてもよいので、他の電子機器３０のコストを抑えることができる。
【００４４】
［実施形態３］
本発明の実施形態３に係るコネクタ選択指示装置について図面を用いて説明する。図４は、本発明の実施形態３に係るコネクタ選択指示装置の構成を模式的に示したブロック図である。
【００４５】
実施形態３は、実施形態１又は２の変形例であり、出力部（図１の１５）として表示部（図２の１５ａ）及びスピーカ部（図２の１５ｂ）の代わりに通信部１５ｃ及び携帯通信端末４０を用いたものである。
【００４６】
通信部１５ｃは、情報処理部１４の制御により所定の情報を送受信する機能部である。通信部１５ｃは、情報処理部１４で抽出した他の電子機器３０の他のポート３１に係る情報を所定の情報を通信端末に向けて送信（出力）する。通信部１５ｃは、情報処理部１４の制御により対応する他の電子機器３０の他のポート３１が存在しない旨の情報を通信端末に向けて送信（出力）する。通信部１５ｃには、Ｂｌｕｅｔｏｏｔｈ（登録商標）等の近距離無線通信用の通信部を用いることができ、無線基地局等の通信インフラを介して携帯通信端末４０の通信部４１と通信可能な通信部を用いてもよい。
【００４７】
なお、携帯通信端末４０には、例えば、携帯電話機、スマートフォン、ノートパソコン等の携帯可能な通信機能を有する端末を用いることができる。携帯通信端末４０は、通信部４１と、表示部４２と、情報処理部４３と、を有する。
【００４８】
通信部４１は、情報処理部４３の制御により所定の情報を送受信する機能部である。通信部４１は、コネクタ選択指示装置１０の通信部１５ｃから送信された他の電子機器３０の他のポート３１に係る情報を受信する。通信部１５ｃは、コネクタ選択指示装置１０の通信部１５ｃから送信された、対応する他の電子機器３０の他のポート３１が存在しない旨の情報を受信する。通信部４１には、Ｂｌｕｅｔｏｏｔｈ（登録商標）等の近距離無線通信用の通信部を用いることができ、無線基地局等の通信インフラを介してコネクタ選択指示装置１０の通信部１５ｃと通信可能な通信部を用いてもよい。
【００４９】
表示部４２は、情報処理部４３の制御により所定の情報を表示出力する機能部である。表示部４２は、通信部４１で受信した、他の電子機器３０の他のポート３１に係る情報を表示出力（指示）する。表示部４２は、通信部４１で受信した、対応する他の電子機器３０の他のポート３１が存在しない旨の情報を表示出力する。なお、携帯通信端末４０では、表示部４２の代わりに、情報処理部４３の制御により所定の情報を音声出力するスピーカ部を用いてもよい。
【００５０】
情報処理部４３は、プログラムに基づいて所定の情報処理を行う機能部である。情報処理部４３は、通信部４１で受信した、他の電子機器３０の他のポート３１に係る情報を、ユーザが分かるように表示部４２から表示出力させる。情報処理部４３は、通信部４１で受信した、対応する他の電子機器３０の他のポート３１が存在しない旨の情報を、ユーザが分かるように表示部４２から表示出力させる。
【００５１】
その他の構成については、実施形態１又は２の構成と同様である。なお、実施形態２に係るコネクタ選択指示装置１０のコネクタ選択指示動作については、実施形態１（図２参照）と同様である。
【００５２】
実施形態３によれば、実施形態１又は２と同様に、コネクタ選択指示装置１０を用い、信号測定部１２で測定されたコネクタ２２の所定の端子２３の信号に係る情報と、記憶部１３で記憶された信号に係る情報と、を比較することで、信号に係る情報に対応する他の電子機器３０の他のポート３１がわかり、コネクタ２２の誤接続を防止し、作業時間の短縮を図ることもできる。また、記憶部１３において信号に係る情報と他の電子機器３０の他のポート３１に係る情報とを対応づけて記憶しておくことで、通信規格の多様化にも柔軟に対応できる。また、個別の他の電子機器３０においてコネクタを判別する機能を有さなくてもよいので、他の電子機器３０のコストを抑えることができる。さらに、ユーザが使用する携帯通信端末４０から情報を出力するようにすることで、コネクタ選択指示装置１０の構成を簡素化することができ、コネクタ選択指示装置１０のコストを抑えることができる。
【００５３】
［実施形態４］
本発明の実施形態４に係るコネクタ選択指示装置について図面を用いて説明する。図５は、本発明の実施形態４に係るコネクタ選択指示装置の構成を模式的に示したブロック図である。
【００５４】
実施形態４は、実施形態１の変形例であり、電子機器２０に電気的に接続されたケーブル２１のコネクタ２２の所定の端子２３の信号がアナログ信号である場合にも対応することができるように、ポート１１と信号測定部１２との間の経路に変換部１６を設けたものである。
【００５５】
変換部１６は、ポート１１からのコネクタ２２の所定の端子２３のアナログ信号をデジタル信号に変換する機能部である。変換部１６で変換されたデジタル信号は、信号測定部１２で測定されることになる。
【００５６】
その他の構成については、実施形態１の構成と同様である。なお、実施形態４に係るコネクタ選択指示装置１０のコネクタ選択指示動作については、実施形態１（図２参照）と同様である。また、実施形態４は、実施形態２又は３に適用してもよい。
【００５７】
実施形態４によれば、実施形態１と同様に、コネクタ選択指示装置１０を用い、信号測定部１２で測定されたコネクタ２２の所定の端子２３の信号に係る情報と、記憶部１３で記憶された信号に係る情報と、を比較することで、信号に係る情報に対応する他の電子機器３０の他のポート３１がわかり、コネクタ２２の誤接続を防止し、作業時間の短縮を図ることもできる。また、記憶部１３において信号に係る情報と他の電子機器３０の他のポート３１に係る情報とを対応づけて記憶しておくことで、通信規格の多様化にも柔軟に対応できる。さらに、個別の他の電子機器３０においてコネクタを判別する機能を有さなくてもよいので、他の電子機器３０のコストを抑えることができる。
【００５８】
［実施形態５］
本発明の実施形態５に係るコネクタ選択指示装置について図面を用いて説明する。図６は、本発明の実施形態５に係るコネクタ選択指示装置の構成を模式的に示したブロック図である。
【００５９】
実施形態５は、実施形態４の変形例であり、コネクタ選択指示装置１０の構成を、信号測定部１２、記憶部１３、情報処理部１４及び出力部１５を有する本体１０ａと、本体１０ａの外部に配されるとともに変換部５１及びポート部１１を有する変換ユニット５０と、に分けたものである。
【００６０】
変換ユニット５０は、ポート１１からのコネクタ２２の所定の端子２３のアナログ信号をデジタル信号に変換するユニットである。変換ユニット５０には、例えば、デジタル入出力ユニット、ＵＳＢ−Ｉ／Ｏユニット等を用いることができる。変換ユニット５０は、ポート１１と、変換部５１と、ケーブル５２と、接続部５３と、を有する。
【００６１】
ポート１１は、電子機器２０に電気的に接続されたケーブル２１のコネクタ２２と着脱可能に電気的に接続可能な接続部である。ポート１１は、単数だけにすることができる。
【００６２】
変換部５１は、ポート１１からのコネクタ２２の所定の端子２３のアナログ信号をデジタル信号に変換する機能部である。変換部１６で変換されたデジタル信号は、ケーブル５２、接続部５３及び接続部１８を通じて信号測定部１２に向けて出力され、信号測定部１２で測定されることになる。デジタル信号は、ＵＳＢ（Universal Serial Bus）規格の信号とすることができる。
【００６３】
ケーブル５２は、変換部１６から出力されたデジタル信号を接続部５３に向けて伝送する部分である。
【００６４】
接続部５３は、本体１０ａの接続部１８と着脱可能に電気的に接続可能な部分である。接続部５３は、ケーブル５２からのデジタル信号を接続部１８に向けて伝送する。接続部５３には、例えば、汎用されるＵＳＢコネクタを用いることができる。
【００６５】
なお、コネクタ選択指示装置１０の本体１０ａは、接続部１８を除く機能部については、実施形態１のコネクタ選択指示装置（図１の１０）と同様である。本体１０ａには、ＵＳＢポート等の外部インターフェースとなる接続部１８を有するコンピュータを用いることができる。接続部１８は、本体１０ａに備えられるとともに、変換ユニット５０の接続部５３と着脱可能に電気的に接続可能な部分である。接続部１８は、デジタル信号を信号測定部１２に向けて伝送する。
【００６６】
なお、実施形態５に係るコネクタ選択指示装置１０のコネクタ選択指示動作については、実施形態１（図２参照）と同様である。また、実施形態５は、実施形態２又は３に適用してもよい。
【００６７】
実施形態５によれば、実施形態４と同様に、コネクタ選択指示装置１０を用い、信号測定部１２で測定されたコネクタ２２の所定の端子２３の信号に係る情報と、記憶部１３で記憶された信号に係る情報と、を比較することで、信号に係る情報に対応する他の電子機器３０の他のポート３１がわかり、コネクタ２２の誤接続を防止し、作業時間の短縮を図ることもできる。また、記憶部１３において信号に係る情報と他の電子機器３０の他のポート３１に係る情報とを対応づけて記憶しておくことで、通信規格の多様化にも柔軟に対応できる。また、個別の他の電子機器３０においてコネクタを判別する機能を有さなくてもよいので、他の電子機器３０のコストを抑えることができる。さらに、コネクタ選択指示装置１０を本体１０ａと変換ユニット５０とに分けることで、変換ユニット５０を交換することで、コネクタ２２の多様化にも柔軟に対応できる。
【００６８】
［実施形態６］
本発明の実施形態６に係るコネクタ選択指示装置について図面を用いて説明する。図７は、本発明の実施形態６に係るコネクタ選択指示装置の構成を模式的に示したブロック図である。
【００６９】
実施形態６は、実施形態１の変形例であり、前準備の段階で、信号に係る情報と他の電子機器３０の他のポート３１に係る情報とを対応づけた情報を登録できるように、入力部１７を追加したものである。
【００７０】
入力部１７は、情報を入力するための機能部である。入力部１７は、ユーザの操作により他の電子機器３０の他のポート３１に係る情報を入力することができる。なお、情報処理部１４は、前準備として、入力部１７から入力された他の電子機器３０の他のポート３１に係る情報と、信号測定部１２で測定された信号に係る情報と、を対応づけて記憶部１３に記憶させる。
【００７１】
その他の構成については、実施形態１の構成と同様である。また、実施形態６は、実施形態２〜５に適用してもよい。
【００７２】
次に、本発明の実施形態６に係るコネクタ選択指示装置のデータ登録動作について図面を用いて説明する。図８は、本発明の実施形態６に係るコネクタ選択指示装置のデータ登録動作を模式的に示したフローチャートである。なお、コネクタ選択指示装置１０の各構成部については、図７を参照されたい。
【００７３】
前提として、電子機器２０に電気的に接続されたケーブル２１のコネクタ２２が他の電子機器３０の所定の他のポート３１（例えば、＃１）から取り外された状態にある。また、コネクタ選択指示装置１０でデータ登録動作するにあたって、電子機器２０を駆動してコネクタ２２が接続されていなくても動作可能な所定の動作をさせたり、電子機器２０から所定の信号を出力するように動作させる等、端子２３の信号が変化するように電子機器２０を動作させるものとする。さらに、記憶部１３には、電子機器２０に電気的に接続されたケーブル２１のコネクタ２２の所定の端子２３（複数ある端子２３のいずれか又は全部）の信号に係る情報と、他の電子機器３０の他のポート３１（例えば、＃１〜＃４のいずれか１つ）に係る情報と、が対応づけて登録されていないものとする。
【００７４】
まず、コネクタ選択指示装置１０は、電子機器２０に電気的に接続されたケーブル２１のコネクタ２２をコネクタ選択指示装置１０のポート１１に接続されたことを信号測定部１２を通じて情報処理部１４が検出すると、コネクタ２２における所定の端子２３（複数ある端子２３のいずれか又は全部）の信号に係る情報を、信号測定部１２で測定する（ステップＢ１参照）。
【００７５】
次に、コネクタ選択指示装置１０は、ユーザの操作により、コネクタ２２が接続されていた他の電子機器３０の他のポート３１に係る情報（例えば、他のポート３１に付された番号）を入力部１７から入力する（ステップＢ２参照）。
【００７６】
最後に、コネクタ選択指示装置１０は、入力した他のポート３１に係る情報と、測定した信号に係る情報と、を対応づけて記憶部１３に登録し（ステップＢ３）、その後、終了する。なお、データ登録動作が終了した後、他の電子機器３０の交換等を実施し、その後、コネクタ選択指示動作を行うことになる。
【００７７】
なお、実施形態６に係るコネクタ選択指示装置１０のコネクタ選択指示動作については、実施形態１（図２参照）と同様である。
【００７８】
実施形態６によれば、実施形態１と同様に、コネクタ選択指示装置１０を用い、信号測定部１２で測定されたコネクタ２２の所定の端子２３の信号に係る情報と、記憶部１３で記憶された信号に係る情報と、を比較することで、信号に係る情報に対応する他の電子機器３０の他のポート３１がわかり、コネクタ２２の誤接続を防止し、作業時間の短縮を図ることもできる。また、記憶部１３において信号に係る情報と他の電子機器３０の他のポート３１に係る情報とを対応づけて記憶しておくことで、通信規格の多様化にも柔軟に対応できる。さらに、個別の他の電子機器３０においてコネクタを判別する機能を有さなくてもよいので、他の電子機器３０のコストを抑えることができる。
【００７９】
［実施形態７］
本発明の実施形態７に係るコネクタ選択指示装置について図面を用いて説明する。図９は、本発明の実施形態７に係るコネクタ選択指示装置の変形例の構成を模式的に示したブロック図である。
【００８０】
実施形態７は、実施形態６の変形例であり、入力部（図７の１７）として操作部１７ａ及びカメラ部１７ｂの両方又は一方を用いたものである。
【００８１】
操作部１７ａは、ユーザの操作により情報を入力する機能部である。操作部１７ａは、ユーザの操作により他の電子機器３０の他のポート３１に係る情報（例えば、識別番号、外観図等）を入力する。操作部１７ａは、例えば、キー操作部、タッチパネル等を用いることができる。操作部１７ａから入力された情報は、情報処理部１４に向けて出力される。
【００８２】
カメラ部１７ｂは、被写体等の情報を撮像する機能部である。カメラ部１７ｂは、他の電子機器３０の他のポート３１に係る情報（例えば、電子機器３０の他のポート３１の位置がわかる画像）を撮像する。カメラ部１７ｂで撮像された情報は、情報処理部１４に向けて出力される。
【００８３】
その他の構成については、実施形態６の構成と同様である。また、実施形態７は、実施形態２〜５に適用してもよい。なお、実施形態７に係るコネクタ選択指示装置１０のコネクタ選択指示動作については、実施形態１（図２参照）と同様である。また、実施形態７に係るコネクタ選択指示装置１０のデータ登録動作については、実施形態６（図８参照）と同様である。
【００８４】
実施形態７によれば、実施形態６と同様に、コネクタ選択指示装置１０を用い、信号測定部１２で測定されたコネクタ２２の所定の端子２３の信号に係る情報と、記憶部１３で記憶された信号に係る情報と、を比較することで、信号に係る情報に対応する他の電子機器３０の他のポート３１がわかり、コネクタ２２の誤接続を防止し、作業時間の短縮を図ることもできる。また、記憶部１３において信号に係る情報と他の電子機器３０の他のポート３１に係る情報とを対応づけて記憶しておくことで、通信規格の多様化にも柔軟に対応できる。さらに、個別の他の電子機器３０においてコネクタを判別する機能を有さなくてもよいので、他の電子機器３０のコストを抑えることができる。
【００８５】
なお、本出願において図面参照符号を付している場合は、それらは、専ら理解を助けるためのものであり、図示の態様に限定することを意図するものではない。
【００８６】
（付記）
本発明の第１の視点においては、コネクタ選択指示装置において、電子機器に電気的に接続されたケーブルのコネクタと着脱可能に電気的に接続可能なポートと、前記ポートからの前記コネクタにおける所定の端子の信号に係る情報を測定する信号測定部と、信号に係る情報と他の電子機器の他のポートに係る情報とを対応づけて記憶する記憶部と、前記信号測定部で測定された信号に係る情報が、前記記憶部で記憶された信号に係る情報の中に存在するか否かを確認し、存在する場合には確認された前記信号に係る情報に対応する前記他の電子機器の前記他のポートに係る情報を前記記憶部から抽出する情報処理部と、前記情報処理部で抽出した前記他の電子機器の前記他のポートに係る情報を出力する出力部と、を備えることを特徴とする。
【００８７】
本発明の前記コネクタ選択指示装置において、前記信号に係る情報は、前記所定の端子の信号パターン又は信号電圧時間変化であることが好ましい。
【００８８】
本発明の前記コネクタ選択指示装置において、前記所定の端子の信号は、アナログ信号であり、前記コネクタ選択指示装置は、前記ポートからの前記所定の端子のアナログ信号をデジタル信号に変換する変換部をさらに備え、前記信号測定部は、前記変換部で変換されたデジタル信号に係る情報を測定することが好ましい。
【００８９】
本発明の前記コネクタ選択指示装置において、前記コネクタ選択指示装置は、前記信号測定部、前記記憶部、前記情報処理部及び前記出力部を有する本体と、前記本体の外部に配されるとともに前記変換部及び前記ポート部を有する変換ユニットと、を備え、前記変換部は、前記信号測定部に対して着脱可能に電気的に接続可能であることが好ましい。
【００９０】
本発明の前記コネクタ選択指示装置において、前記コネクタ選択指示装置は、前記他の電子機器の前記他のポートに係る情報を入力する入力部をさらに備え、前記情報処理部は、前準備として、前記入力部から入力された前記他の電子機器の前記他のポートに係る情報と、前記信号測定部で測定された信号に係る情報と、を対応づけて前記記憶部に記憶させることが好ましい。
【００９１】
本発明の前記コネクタ選択指示装置において、前記入力部は、前記他の電子機器の前記他のポートに係る情報を入力する操作部、又は、前記他の電子機器の前記他のポートに係る情報を撮像するカメラ部であることが好ましい。
【００９２】
本発明の前記コネクタ選択指示装置において、前記出力部は、前記情報処理部で抽出した前記他の電子機器の前記他のポートに係る情報を表示出力する表示部、又は、前記情報処理部で抽出した前記他の電子機器の前記他のポートに係る情報を音声出力するスピーカ部であることが好ましい。
【００９３】
本発明の前記コネクタ選択指示装置において、前記出力部は、前記情報処理部で抽出した前記他の電子機器の前記他のポートに係る情報を所定の情報通信端末に送信する通信部であることが好ましい。
【００９４】
本発明の第２の視点においては、コネクタ選択指示方法において、電子機器に電気的に接続されたケーブルのコネクタにおける所定の端子の信号に係る情報を信号測定部で測定する工程と、前記信号測定部で測定された信号に係る情報が、記憶部で記憶された信号に係る情報の中に存在するか否かを情報処理部で確認する工程と、前記確認する工程で存在する場合には前記情報処理部で確認された前記信号に係る情報に対応する前記他の電子機器の前記他のポートに係る情報を前記記憶部から抽出する工程と、前記情報処理部で抽出した前記他の電子機器の前記他のポートに係る情報を出力部から出力する工程と、を含むことを特徴とする。
【００９５】
本発明の第３の視点においては、コネクタ選択指示プログラムにおいて、電子機器に電気的に接続されたケーブルのコネクタにおける所定の端子の信号に係る情報を信号測定部で測定するステップと、前記信号測定部で測定された信号に係る情報が、記憶部で記憶された信号に係る情報の中に存在するか否かを情報処理部で確認するステップと、前記確認する工程で存在する場合には前記情報処理部で確認された前記信号に係る情報に対応する前記他の電子機器の前記他のポートに係る情報を前記記憶部から抽出するステップと、前記情報処理部で抽出した前記他の電子機器の前記他のポートに係る情報を出力部から出力するステップと、を実行させることを特徴とする。
【００９６】
なお、本発明の全開示（特許請求の範囲及び図面を含む）の枠内において、さらにその基本的技術思想に基づいて、実施形態ないし実施例の変更・調整が可能である。また、本発明の請求の範囲の枠内において種々の開示要素（各請求項の各要素、各実施形態ないし実施例の各要素、各図面の各要素等を含む）の多様な組み合わせないし選択が可能である。すなわち、本発明は、請求の範囲及び図面を含む全開示、技術的思想にしたがって当業者であればなし得るであろう各種変形、修正を含むことは勿論である。また、本願に記載の数値及び数値範囲については、明記がなくともその任意の中間値、下位数値、及び、小範囲が記載されているものとみなされる。
【符号の説明】
【００９７】
１０  コネクタ選択指示装置
１０ａ  本体
１１  ポート
１２  信号測定部
１３  記憶部
１４  情報処理部
１５  出力部
１５ａ  表示部
１５ｂ  スピーカ部
１５ｃ  通信部
１６  変換部
１７  入力部
１７ａ  操作部
１７ｂ  カメラ部
１８  接続部
２０  電子機器
２１  ケーブル
２２  コネクタ
２３  端子
３０  他の電子機器
３１  他のポート
４０  携帯通信端末
４１  通信部
４２  表示部
４３  情報処理部
５０  変換ユニット
５１  変換部
５２  ケーブル
５３  接続部
【図１】
2015153205.tif 000003
【図２】
2015153205.tif 000004
【図３】
2015153205.tif 000005
【図４】
2015153205.tif 000006
【図５】
2015153205.tif 000007
【図６】
2015153205.tif 000008
【図７】
2015153205.tif 000009
【図８】
2015153205.tif 000010
【図９】
2015153205.tif 000011